(57)【特許請求の範囲】
【請求項１】
塵埃を吸引する第１の吸入口を有する第１の吸込具と、
前記第１の吸入口と連通する第２の吸入口が設けられており、前記第１の吸込具と着脱自在に係合される第２の吸込具と、
前記第２の吸入口と連通する第３の吸入口が設けられており、前記第２の吸込具と着脱自在に係合される第３の吸込具と、
前記第１の吸込具と前記第２の吸込具との係合を解除する第１の操作部と、
前記第２の吸込具と前記第３の吸込具との係合を解除する第２の操作部と、
を有し、前記第１の操作部及び前記第２の操作部は、前記第３の吸込具の後部にそれぞれ配置されている電気掃除機用吸込具。
【請求項２】
前記第１の操作部及び前記第２の操作部のうちの少なくとも一方は、前記第３の吸込具に設けられている請求項１に記載の電気掃除機用吸込具。
【請求項３】
前記第１の吸込具及び前記第２の吸込具のうち、一方には、前記第１の吸込具と前記第２の吸込具とを着脱自在に係合する第１の係合部が設けられており、他方の前記第１の係合部に対応する位置には、前記第１の係合部と係合する第１の被係合部が設けられている請求項１または２に記載の電気掃除機用吸込具。
【請求項４】
前記第２の操作部には、前記第２の吸込具と前記第３の吸込具とを着脱自在に係合する第２の係合部が設けられており、前記第２の吸込具の前記第２の係合部に対応する位置には、前記第２の係合部と係合する第２の被係合部が設けられている請求項１〜３のうちの何れか１項に記載の電気掃除機用吸込具。
【請求項５】
前記第１の操作部は、前記第１の吸込具と前記第２の吸込具との係合を解除するとともに、前記第２の吸込具を上方へ押上げる請求項１〜４のうちの何れか１項に記載の電気掃除機用吸込具。
【請求項６】
前記第２の操作部は、前記第２の吸込具と前記第３の吸込具との係合を解除するとともに、前記第３の吸込具を上方へ押上げる請求項１〜５のうちの何れか１項に記載の電気掃除
機用吸込具。
【請求項７】
前記第１の吸込具と前記第２の吸込具との間には第１のシール部材が設けられている請求項１〜６のうちの何れか１項に記載の電気掃除機用吸込具。
【請求項８】
前記第２の吸込具と前記第３の吸込具との間には第２のシール部材が設けられている請求項１〜７のうちの何れか１項に記載の電気掃除機用吸込具。
【請求項９】
前記第１のシール部材及び前記第２のシール部材は、耐摩耗性の高い軟質材料で形成されている請求項７または８に記載の電気掃除機用吸込具。
【請求項１０】
前記第１の操作部及び前記第２の操作部のうちの少なくとも一方の端部には軟質材料が設けられている請求項１〜９のうちの何れか１項に記載の電気掃除機用吸込具。
【請求項１１】
吸引風を発生する電動送風機を内蔵する掃除機本体と、
請求項１〜１０のうちの何れか１項に記載の電気掃除機用吸込具と、
を有する電気掃除機。
【発明の詳細な説明】
【技術分野】
【０００１】
本発明は、電気掃除機用吸込具及びそれを用いた電気掃除機に関する。
【背景技術】
【０００２】
従来、電気掃除機用吸込具においては、使用者の使い勝手を向上させるべく、床ノズルに小型ノズルを着脱自在に装着させ、床ノズルに設けた操作レバーを押し下げることで、床ノズルから小型ノズルを離脱させる構成が提案されている（例えば、特許文献１参照）。
【０００３】
すなわち、図１９に示すように、吸込具２００は、床ノズル２０１と、床ノズル２０１に着脱自在に装着されるとともに、延長管（図示せず）が連結される連結管２０４を有する小型ノズル２０２と、から構成されており、床ノズル２０１に設けられた操作レバー２０３を押し下げることにより、小型ノズル２０２を着脱自在に把持する保持具２０５の把持状態が解放され、小型ノズル２０２が床ノズル２０１から離脱される構成を有する電気掃除機用吸込具が提案されている。
【先行技術文献】
【特許文献】
【０００４】
【特許文献１】特開２００３−３３９５８５号公報
【発明の概要】
【発明が解決しようとする課題】
【０００５】
しかしながら、上記従来の電気掃除機用吸込具においては、使用者の使い勝手を向上させるという観点からは未だ改善の余地があった。
【０００６】
すなわち、上記従来の電気掃除機用吸込具においては、床ノズルから小型ノズルのみが着脱可能であり、小型ノズルよりもさらに小型の隙間用ノズル等を使用する場合、使用者は、床ノズル及び小型ノズルを延長管から取り外し、別途準備した隙間用ノズル等を延長管に接続し直す必要があり、隙間用ノズル等の装着に手間がかかる場合があった。また、隙間用ノズル等を使用しない場合、使用者は、隙間用ノズル等を床用ノズル及び小型ノズルとは別の場所に収納する必要があり、隙間用ノズルの収納においても、手間がかかる場合であった。そのため、使用者にとっては、隙間用ノズル等の着脱が煩わしい場合があった。
【０００７】
本発明は、上記従来技術の有する課題に鑑みてなされたものであり、床ノズル、小型ノズル、及び隙間用ノズル等の異なった種類の吸込具の着脱を容易に行うことができ、使用者の使い勝手を向上させることができる電気掃除機用吸込具を提供することを目的とする。
【課題を解決するための手段】
【０００８】
上記従来技術の有する課題を解決するために、本発明は、塵埃を吸引する第１の吸入口を有する第１の吸込具と、前記第１の吸入口と連通する第２の吸入口が設けられており、前記第１の吸込具と着脱自在に係合される第２の吸込具と、前記第２の吸入口と連通する第３の吸入口が設けられており、前記第２の吸込具と着脱自在に係合される第３の吸込具と、前記第１の吸込具と前記第２の吸込具との係合を解除する第１の操作部と、前記第２の吸込具と前記第３の吸込具との係合を解除する第２の操作部と、を有し、前記第１の操作部及び前記第２の操作部は、前記第３の吸込具の後部にそれぞれ配置されているものである。
【０００９】
これにより、第２の吸込具から第１の吸込具を外して使用する際は、第１の操作部を操作するだけで、第１の吸込具と第２の吸込具との係合を解除することができるとともに、第３の吸込具から第２の吸込具を外して使用する際は、第２の操作部を操作するだけで、第２の吸込具と第３の吸込具との係合を解除することができる。そのため、使用者が簡単な動作で第１の操作部及び第２の操作部を操作して、第１の吸込具、第２の吸込具、及び第３の吸込具の切り替えを用意に行うことができ、使用者の使い勝手を向上させることができる。
【発明の効果】
【００１０】
本発明の電気掃除機用吸込具によれば、第１の吸込具、第２の吸込具、及び第３の吸込具の切り替えを用意に行うことができ、使用者の使い勝手を向上させることができるようになる。
【図面の簡単な説明】
【００１１】
【図１】本発明の電気掃除機用吸込具の実施の形態１を備えた電気掃除機の側面図
【図２】本発明の電気掃除機用吸込具の実施の形態１を示す上面斜視図
【図３】図２に示した電気掃除機用吸込具のＡ−Ａ線での断面図
【図４】本発明の電気掃除機用吸込具の実施の形態１における第１の吸込具の上面斜視図
【図５】本発明の電気掃除機用吸込具の実施の形態１における第１の吸込具の下面図
【図６】本発明の電気掃除機用吸込具の実施の形態１における第２の吸込具の上面斜視図
【図７】本発明の電気掃除機用吸込具の実施の形態１における第２の吸込具の下面図
【図８】本発明の電気掃除機用吸込具の実施の形態１における第３の吸込具の上面斜視図
【図９】本発明の電気掃除機用吸込具の実施の形態１における第３の吸込具の上面図
【図１０】本発明の電気掃除機用吸込具の実施の形態１における第３の吸込具の下面図
【図１１】図２に示した電気掃除機用吸込具のＢ−Ｂ線での断面図
【図１２】本発明の電気掃除機用吸込具の実施の形態１における第１の吸込具と第２の吸込具との係合が解除された状態を示す部分断面図
【図１３】本発明の電気掃除機用吸込具の実施の形態１における第１の吸込具が取り外される状態を示す部分断面図
【図１４】本発明の電気掃除機用吸込具の実施の形態１における第２の吸込具と第３の吸込具との係合が解除された状態を示す部分断面図
【図１５】本発明の電気掃除機用吸込具の実施の形態１における第２の吸込具が取り外される状態を示す部分断面図
【図１６】本発明の電気掃除機用吸込具の実施の形態２を示す部分断面図
【図１７】本発明の電気掃除機用吸込具の変形例を示す部分断面図
【図１８】本発明の電気掃除機用吸込具の変形例を示す部分断面図
【図１９】従来の電気掃除機用吸込具を示す斜視図
【発明を実施するための形態】
【００１２】
第１の発明は、塵埃を吸引する第１の吸入口を有する第１の吸込具と、前記第１の吸入口と連通する第２の吸入口が設けられており、前記第１の吸込具と着脱自在に係合される第２の吸込具と、前記第２の吸入口と連通する第３の吸入口が設けられており、前記第２の吸込具と着脱自在に係合される第３の吸込具と、前記第１の吸込具と前記第２の吸込具との係合を解除する第１の操作部と、前記第２の吸込具と前記第３の吸込具との係合を解除する第２の操作部と、を有し、前記第１の操作部及び前記第２の操作部は、前記第３の吸込具の後部にそれぞれ配置されているものである。
【００１３】
これにより、第２の吸込具から第１の吸込具を外して使用する際は、第１の操作部を操作するだけで、第１の吸込具と第２の吸込具との係合を解除することができるとともに、第３の吸込具から第２の吸込具を外して使用する際は、第２の操作部を操作するだけで、第２の吸込具と第３の吸込具との係合を解除することができる。そのため、使用者が簡単な動作で第１の操作部及び第２の操作部を操作して、第１の吸込具、第２の吸込具、及び第３の吸込具の切り替えを用意に行うことができ、使用者の使い勝手を向上させることができる。
【００１４】
第２の発明は、特に第１の発明において、第１の操作部及び第２の操作部のうちの少なくとも一方は、第３の吸込具に設けられている構成としたものである。
【００１５】
これにより、使用者が簡単な動作で第１の操作部及び第２の操作部を操作することができ、使い勝手のよい電気掃除機用吸込具を提供することができる。
【００１８】
第３の発明は、特に、第１または第２の発明において、第１の吸込具及び第２の吸込具のうち、一方には、第１の吸込具と第２の吸込具とを着脱自在に係合する第１の係合部が設けられており、他方の第１の係合部に対応する位置には、第１の係合部と係合する第１の被係合部が設けられている構成としたものである。
【００１９】
これにより、第１の吸込具を第２の吸込具に簡単な構成で確実に係合させることができるとともに、第１の操作部を操作するだけで、第１の吸込具と第２の吸込具との係合を解除することができ、使い勝手のよい電気掃除機用吸込具を提供することができる。
【００２０】
第４の発明は、特に、第１〜第３の発明において、第２の操作部には、第２の吸込具と第３の吸込具とを着脱自在に係合する第２の係合部が設けられており、第２の吸込具の第２の係合部に対応する位置には、第２の係合部と係合する第２の被係合部が設けられている構成としたものである。
【００２１】
これにより、第２の吸込具を第３の吸込具に簡単な構成で確実に係合させることができるとともに、第２の操作部を操作するだけで、第２の吸込具と第３の吸込具との係合を解除することができ、使い勝手のよい電気掃除機用吸込具を提供することができる。
【００２２】
第５の発明は、特に、第１〜第４の発明のうちの何れか１つの発明において、第１の操作部は、第１の吸込具と第２の吸込具との係合を解除するとともに、第２の吸込具を上方へ押上げる構成としたものである。
【００２３】
これにより、第１の吸込具と第２の吸込具との係合を確実に解除することができるため、第１の吸込具と第２の吸込具とが係合されたままの状態で、第１の吸込具が第２の吸込具から無理矢理に取り外され、第１の吸込具、第２の吸込具、及び第１の操作部が破損することを十分に防止することができ、安全性に優れた電気掃除機用吸込具を提供することができる。
【００２４】
第６の発明は、特に、第１〜第５の発明のうちの何れか１つの発明において、第２の操作部は、第２の吸込具と第３の吸込具との係合を解除するとともに、第３の吸込具を上方へ押上げる構成としたものである。
【００２５】
これにより、第２の吸込具と第３の吸込具との係合を確実に解除することができるため、第２の吸込具と第３の吸込具とが係合されたままの状態で、第２の吸込具が第３の吸込具から無理矢理に取り外され、第２の吸込具、第３の吸込具、及び第２の操作部が破損することを十分に防止することができ、安全性に優れた電気掃除機用吸込具を提供することができる。
【００２６】
第７の発明は、特に、第１〜第６の発明のうちの何れか１つの発明において、第１の吸込具と第２の吸込具との間には第１のシール部材が設けられている構成としたものである。
【００２７】
これにより、第１の吸込具が第２の吸込具に取り付けられた状態で、第１の吸込具と第２の吸込具との間から空気が漏れることを防止することができる。
【００２８】
第８の発明は、特に、第１〜第７の発明のうちの何れか１つの発明において、第２の吸込具と第３の吸込具との間には第２のシール部材が設けられている構成としたものである。
【００２９】
これにより、第２の吸込具が第３の吸込具に取り付けられた状態で、第２の吸込具と第３の吸込具との間から空気が漏れることを防止することができる。
【００３０】
第９の発明は、特に、第７または第８の発明において、第１のシール部材及び第２のシール部材は、耐摩耗性の高い軟質材料で形成されている構成としたものである。
【００３１】
これにより、シール部材の磨耗による劣化を防止することができ、耐久性の高い電気掃除機用吸込具を提供することができる。
【００３２】
第１０の発明は、特に、第１〜第９の発明のうちの何れか１つの発明において、第１の操作部及び第２の操作部のうちの少なくとも一方の端部には軟質材料が設けられている構
成としたものである。
【００３３】
これにより、第１の操作部及び第２の操作部が被清掃面と接触した場合でも、第１の操作部及び第２の操作部によって被清掃面が傷付くことを防止できる。
【００３４】
第１１の発明は、吸引風を発生する電動送風機を内蔵する掃除機本体と、請求項１〜１０のうちの何れか１項に記載の電気掃除機用吸込具と、を有する電気掃除機としたものである。
【００３５】
これにより、第１の吸込具、第２の吸込具、及び第３の吸込具の切り替えを用意に行うことができる使い勝手のよい電気掃除機を提供することができる。
【００３６】
以下、図面を参照しながら本発明の電気掃除機用吸込具の好適な実施形態について詳細に説明する。なお、以下の説明では、同一または相当部分には同一符号付し、重複する説明は省略する。
【００３７】
（実施の形態１）
本発明の電気掃除機用吸込具の実施の形態１について、図１〜図１１を用いて説明する。
【００３８】
図１は、本発明の電気掃除機用吸込具の実施の形態１を備えた電気掃除機の側面図である。また、図２は、本発明の電気掃除機用吸込具の実施の形態１を示す斜視図である。さ
らに、図３は、図２に示した電気掃除機用吸込具のＡ−Ａ線での断面図である。また、図４は、本発明の電気掃除機用吸込具の実施の形態１における第１の吸込具の上面斜視図である。さらに、図５は、本発明の電気掃除機用吸込具の実施の形態１における第１の吸込具の下面図である。また、図６は、本発明の電気掃除機用吸込具の実施の形態１における第２の吸込具の上面斜視図である。さらに、図７は、本発明の電気掃除機用吸込具の実施の形態１における第２の吸込具の下面図である。また、図８は、本発明の電気掃除機用吸込具の実施の形態１における第３の吸込具の上面斜視図である。さらに、図９は、本発明の電気掃除機用吸込具の実施の形態１における第３の吸込具の上面図である。また、図１０は、本発明の電気掃除機用吸込具の実施の形態１における第３の吸込具の下面図である。さらに、図１１は、図２に示した電気掃除機用吸込具のＢ−Ｂ線での断面図である。
【００３９】
図１に示すように、電気掃除機１００は、吸引風を発生する電動送風機（図示せず）と塵埃を捕集する集塵部（図示せず）とを内蔵する掃除機本体１と、被清掃面の塵埃を吸引する電気掃除機用吸込具２と、一端が電気掃除機用吸込具２に着脱自在に接続される延長管３と、一端が延長管３の他端に着脱自在に接続され、他端が掃除機本体１に着脱自在に接続されるホース４と、から構成されている。
【００４０】
ホース４の延長管３側の端部には、使用者が保持する保持部（図示せず）を有する手元保持部５が設けられている。また、ホース４の掃除機本体１側の端部には、接続パイプ６が設けられている。さらに、掃除機本体１の上面には、接続パイプ６が着脱自在に接続される吸気口１ａが設けられている。また、掃除機本体１の後部には、一対の走行用の車輪７が設けられている。さらに、掃除機本体１の前方の底面には、走行用のキャスター８が設けられている。
【００４１】
図２及び図３に示すように、電気掃除機用吸込具２は、塵埃を吸引する第１の吸入口１０ａを有する第１の吸込具１０と、第１の吸入口１０ａと連通する第２の吸入口２０ａを有し、第１の吸込具１０と着脱自在に係合される第２の吸込具２０と、第２の吸入口２０ａと連通する第３の吸入口３０ａが設けられており、第２の吸込具２０と着脱自在に係合される第３の吸込具３０と、から構成されている。
【００４２】
図４及び図５に示すように、第１の吸込具１０は、下面に塵埃を吸引する第１の吸入口１０ａを有する吸引部１１と、一端に延長管３が接続される接続部１２と、吸引部１１と接続部１２とを連結する連結部１３と、から構成されている。第１の吸入口１０ａは、吸引部１１の下面から前面に亘って形成されている。また、第１の吸入口１０ａには、補強用の第１の補強リブ１４が設けられている。
【００４３】
吸引部１１の連結部１３側の端部は、連結部１３によって回動自在に保持されている。また、接続部１２の連結部１３側の端部は、連結部１３によって上下方向に回動自在に保持されている。接続部１２の連結部１３側の上面には、接続部１２の上方向への回動を規制する第１の回動規制部１５が設けられている。また、連結部１３の下面の接続部１２側の端部には、接続部１２の下方向への回動を規制する第２の回動規制部１６が設けられている。接続部１２は、第１の回動規制部１５が連結部１３の接続部１２側の端部に当接することで上方向への回動が規制されるとともに、第２の回動規制部１６が接続部１２の連結部１３側の下面に当接することで下方向への回動が規制されるように構成されている。
【００４４】
吸引部１１の上面の前端には、第１の凹部１７が設けられている。また、吸引部１１の側面には、第１の被係合部である第２の凹部１８が設けられている。第１の吸込具１０は、後述する第２の吸込具２０に設けられた第１の突起部２４と第１の凹部１７とが嵌合するとともに、後述する第２の吸込具２０に設けられた第１の係合部である第１の爪部２５と第２の凹部１８とが嵌合することにより、第２の吸込具２０に着脱自在に接続されるよ
うに構成されている。
【００４５】
図６及び図７に示すように、第２の吸込具２０の中央部には、第１の吸込具１０が着脱自在に取り付けられる第３の凹部２１が設けられている。また、第２の吸込具２０の下面には、第２の吸込具２０に第１の吸込具１０が取り付けられた状態で、第１の吸入口１０ａと連通する第２の吸入口２０ａが設けられている。さらに、第２の吸入口２０ａには、補強用の第２の補強リブ２２が設けられている。また、第２の吸込具２０の下面には、被清掃面の塵埃を掻きあげる第１のブラシ部２３が設けられている。
【００４６】
第３の凹部２１の前方の上部には、第１の吸込具１０に設けられた第１の凹部１７と嵌合する第１の突起部２４が設けられている。また、第３の凹部２１の後方の側面、すなわち、第２の吸込具２０の後方の内側の側面には、第１の係合部である第１の爪部２５が設けられている。さらに、第１の爪部２５の前方には、スリット２６が設けられている。また、第１の爪部２５の下方には、後述する第２の操作部４８に設けられた解除部４４が当接する当接部２７が設けられている。
【００４７】
第１の吸込具１０は、第１の凹部１７に第１の突起部２４が嵌合するとともに、第２の凹部１８に第１の爪部２５が嵌合することにより、第３の凹部２１内に着脱自在に保持されるように構成されている。また、第２の吸込具２０の外側の側面には、第２の被係合部である第１の嵌合口部２８が設けられている。また、第２の吸込具２０の前面には、第２の突起部２９が設けられている。
【００４８】
図８〜図１０に示すように、第３の吸込具３０は、第３の吸込具３０の上面及び側面を形成する上部材３１と、第３の吸込具３０の下面を形成する下部材３２とから構成されている。第３の吸込具３０の下面を構成する下部材３２には、第３の吸込具３０の上面と下面とを連通するとともに、第３の吸込具３０に第２の吸込具２０が取り付けられた状態で、第２の吸入口２０ａと連通する第３の吸入口３０ａが第３の吸込具３０の長手方向に沿って設けられている。また、第３の吸込具３０の下面の後部には、走行用のローラー３３が回動自在に配置されている。
【００４９】
第３の吸込具３０には、被清掃面の塵埃を掻きあげる第２のブラシ部３４と、被清掃面の塵埃が第３の吸込具３０の後方にそれることを防止するリップ部３５が内蔵されている。また、第３の吸込具３０の上面には、第３の吸込具３０に回動自在に保持される操作レバー３６が設けられている。第２のブラシ部３４は、第３の吸入口３０ａの前方に上下動自在に配置されており、リップ部３５は、第３の吸入口３０ａの後方に上下動自在に配置されている。また、第２のブラシ部３４及びリップ部３５は、使用者が操作レバー３６を操作することにより、第３の吸込具３０の内部から第３の吸込具３０の外部へと突出するように構成されている。
【００５０】
第３の吸込具３０の上面を構成する上部材３１の略中央部には、第２の吸込具２０が着脱自在に取り付けられる第４の凹部３７が設けられている。また、第４の凹部３７の左右両側部には、第２の吸込具２０の下面に設けられた第１のブラシ部２３が挿入される第５の凹部３８が設けられている。
【００５１】
第４の凹部３７の前方には、第２の吸込具２０に設けられた第２の突起部２９と嵌合する第２の嵌合口部３９が設けられている。また、第４の凹部３７の後部には、位置決め用の第１のリブ４０が設けられている。さらに、第４の凹部３７の略中央部には、位置決め用の十字状の第２のリブ４１が設けられている。第２の吸込具２０は、第２の突起部２９が第２の嵌合口部３９に嵌合することで、第２の吸込具２０の前部が第４の凹部３７内に位置決めされるように構成されている。また、第２の吸込具２０は、第２の吸入口２０ａ
に第２のリブ４１が嵌合するとともに、第２の吸込具２０の後端部が第１のリブ４０に当接することで、第２の吸込具２０の後部が第４の凹部３７内に位置決めされるように構成されている。
【００５２】
図８〜図１１に示すように、第３の吸込具３０の後部には、第１の吸込具１０と第２の吸込具２０との係合を解除する第１の操作部４２と、第２の吸込具２０と第３の吸込具３０との係合を解除する第２の操作部４８と、がそれぞれ回動自在に設けられている。
【００５３】
第１の操作部４２は、外側から操作可能に設けられた第１の押圧部４３と、第１の吸込具１０と第２の吸込具２０との係合を解除するとともに第１の吸込具１０を上方へ押し上げる解除部４４と、第１の押圧部４３と解除部４４とを連結する第１の腕部４５と、から構成されている。また、解除部４４は、第３の吸込具３０の上面の後部から突出するように構成されている。さらに、第１の操作部４２は、第１の腕部４５の下部に設けられた第１の軸支部４６により第３の吸込具３０に回動自在に保持されるとともに、第１のバネ４７により上方に附勢されている。
【００５４】
第２の操作部４８は、外側から操作可能に設けられた第２の押圧部４９と、第２の吸込具２０を上方へ押し上げる押上部５０と、第２の押圧部４９と押上部５０とを連結する第２の腕部５１と、第２の腕部５１から上方に延設された延設部５２と、から構成されている。また、押上部５０は、第３の吸込具３０の上面の後部から突出するように構成されている。さらに、延設部５２の上端部には、第１の嵌合口部２８と係合する第２の係合部である第２の爪部５３が設けられており、この第２の爪部５３は、第３の吸込具３０の後部の側面から突出するように構成されている。また、第２の操作部４８は、第２の腕部５１の下部に設けられた第２の軸支部５４により第３の吸込具３０に回動自在に保持されるとともに、第２のバネ５５により下方に附勢されている。第２の吸込具２０は、第１の嵌合口部２８と第２の爪部５３とが嵌合することで、第３の吸込具３０に保持されるとともに、第１の嵌合口部２８と第２の爪部５３との嵌合が解除されることで、第３の吸込具３０から取り外せるように構成されている。
【００５５】
以上のように構成された電気掃除機用吸込具について、図１〜図３、及び、図１１〜図１５を用いて、以下、その動作、作用を説明する。
【００５６】
図１２は、本発明の電気掃除機用吸込具の実施の形態１における第１の吸込具と第２の吸込具との係合が解除された状態を示す部分断面図である。また、図１３は、本発明の電気掃除機用吸込具の実施の形態１における第１の吸込具が取り外される状態を示す部分断面図である。さらに、図１４は、本発明の電気掃除機用吸込具の実施の形態１における第２の吸込具と第３の吸込具との係合が解除された状態を示す部分断面図である。また、図１５は、本発明の電気掃除機用吸込具の実施の形態１における第２の吸込具が取り外される状態を示す部分断面図である。
【００５７】
図１〜図３、及び図１１に示すように、使用者が、掃除機本体１にホース４及び延長管３を接続し、第３の吸込具３０を用いて被清掃面の塵埃を掃除する場合、使用者は、第３の吸込具３０に第１の吸込具１０及び第２の吸込具２０を接続し、第１の吸込具１０の接続部１２に延長管３を接続して被清掃面の塵埃を掃除する。
【００５８】
使用者が被清掃面の塵埃を掃除するために掃除機本体１の運転を開始すると、電動送風機（図示せず）によって吸引風が発生される。電動送風機（図示せず）によって吸引風が発生されると、第３の吸込具３０の下面に設けられた第３の吸入口３０ａから被清掃面の塵埃が吸引される。第３の吸込具３０に第１の吸込具１０及び第２の吸込具２０が接続された状態において、第３の吸入口３０ａは、第２の吸込具２０の下面に設けられた第２の
吸入口２０ａ及び第１の吸込具１０に設けられた第１の吸入口１０ａと連通しているため、第３の吸入口３０ａから吸い込まれた塵埃は、第２の吸入口２０ａ、第１の吸入口１０ａを介して第１の吸込具１０の吸引部１１内に吸引される。第１の吸込具１０の吸引部１１内に吸引された塵埃は、連結部１３、接続部１２、延長管３、ホース４を介して掃除機本体１内に吸引され、掃除機本体１内に設けられた集塵部（図示せず）で捕集される。
【００５９】
次に、図１２及び図１３に示すように、使用者が第１の吸込具１０を使用して被清掃面の塵埃を掃除する場合、使用者は第１の操作部４２の第１の押圧部４３を下方へと押し下げることで、第３の吸込具３０に第１の吸込具１０及び第２の吸込具２０が接続された状態から第１の吸込具１０のみを取り外すことができる。第１の押圧部４３及び解除部４４は、第１の腕部４５によって連結されているため、第１の操作部４２の第１の押圧部４３が下方へと押し下げられると、第１の腕部４５が第１の軸支部４６を中心に回動し、解除部４４が上方へと押し上げられる。上方へと押し上げられた解除部４４は、第２の吸込具２０の第１の爪部２５の下方に設けられた当接部２７に当接し、第２の吸込具２０の後方の内側の側面を第２の吸込具２０の外側へと湾曲させ、第１の爪部２５と第２の凹部１８との嵌合を解除するとともに、第１の吸込具１０を上方へと押し上げる。これにより、第３の吸込具３０に第１の吸込具１０及び第２の吸込具２０が取り付けられた状態から第１の吸込具１０のみを取り外すことができる。
【００６０】
このとき、第１の爪部２５の前方にはスリット２６が設けられているため、第２の吸込具２０の内側の側面のうち、第１の爪部２５が設けられている部分のみを湾曲させるだけで、第１の爪部２５と第２の凹部１８との嵌合を解除することができ、第１の吸込具１０と第２の吸込具２０との係合を容易に解除することができる。
【００６１】
また、第１の吸込具１０を第２の吸込具２０に接続する場合は、第１の凹部１７に第１の突起部２４を嵌合させるとともに、第２の凹部１８に第１の爪部２５を嵌合させることで、第１の吸込具１０を第２の吸込具２０に接続することができる。
【００６２】
次に、図１４及び図１５に示すように、使用者が第２の吸込具２０を使用して被清掃面の塵埃を掃除する場合、使用者は第２の操作部４８の第２の押圧部４９を下方へと押し下げることで、第１の吸込具１０に第２の吸込具２０が接続された状態で、第２の吸込具２０を第３の吸込具３０から取り外すことができる。第２の押圧部４９、押上部５０、及び第２の爪部５３は、第２の腕部５１により連結されているため、第２の押圧部４９が下方に押し下げられると、第２の腕部５１が第２の軸支部５４を中心に回動し、第２の爪部５３と第１の嵌合口部２８との嵌合が解除されるとともに、押上部５０により第２の吸込具２０が上方へと押し上げられる。これにより、第１の吸込具１０に第２の吸込具２０が接続された状態で、第２の吸込具２０を第３の吸込具３０から取り外すことができる。
【００６３】
また、第２の吸込具２０を第３の吸込具３０に接続する場合は、第２の突起部２９を第２の嵌合口部３９に嵌合させ、第２の吸入口２０ａに第２のリブ４１を嵌合させ、第２の吸込具２０の後端部を第１のリブ４０に当接させることで、第２の吸込具２０を第３の吸込具３０に位置決めするとともに、第１の嵌合口部２８に第２の爪部５３を嵌合させることで、第２の吸込具２０を第３の吸込具３０に接続することができる。
【００６４】
以上のように、本実施の形態においては、使用者が第１の吸込具１０を使用して被清掃面の塵埃を掃除する場合には、第１の操作部４２を操作するだけで、第１の吸込具１０に設けられた第２の凹部１８と第２の吸込具２０に設けられた第１の爪部２５との嵌合を容易に解除することができる。また、使用者が第２の吸込具２０を使用して被清掃面の塵埃を掃除する場合には、第２の操作部４８を操作するだけで、第２の吸込具２０に設けられた第１の嵌合口部２８と第２の操作部４８に設けられた第２の爪部５３との嵌合を容易に
解除することができる。そのため、第１の吸込具１０、第２の吸込具２０、及び第３の吸込具３０の切り替えを用意に行うことができ、使用者の使い勝手を向上させることができる。
【００６５】
また、第１の操作部４２及び第２の操作部４８は、第３の吸込具３０の後部に外側から操作可能に設けられているため、使用者は、例えば第１の操作部４２及び第２の操作部４８を足で踏む等、簡単な動作で第１の操作部４２及び第２の操作部４８を操作することができ、使用者の使い勝手をより向上させることができる。
【００６６】
さらに、第１の操作部４２及び第２の操作部４８は、第１のバネ４７及び第２のバネ５５のよりそれぞれ附勢されており、第１の操作部４２及び第２の操作部４８は自動的にもとの位置に戻るため、使用者が第１の操作部４２及び第２の操作部４８を操作したあと、手や足等で第１の操作部４２及び第２の操作部４８をもとに戻す必要がなく、使い勝手をさらに向上させることができる。
【００６７】
また、第１の吸込具１０を第２の吸込具２０に接続する場合には、第１の吸込具１０に設けられた第１の凹部１７を第２の吸込具２０に設けられた第１の突起部２４に嵌合させるとともに、第１の吸込具１０に設けられた第２の凹部１８に第２の吸込具２０に設けられた第１の爪部２５を嵌合させることで、第１の吸込具１０を第２の吸込具２０に接続することができるため、第１の吸込具１０を第２の吸込具２０に簡単な構成で確実に保持させることができる。
【００６８】
さらに、第２の吸込具２０を第３の吸込具３０に接続する場合には、第２の突起部２９を第２の嵌合口部３９に嵌合させ、第２の吸入口２０ａに第２のリブ４１を嵌合させ、第２の吸込具２０の後端部を第１のリブ４０に当接させることで、第２の吸込具２０を第３の吸込具３０に位置決めするとともに、第１の嵌合口部２８に第２の爪部５３を嵌合させることで、第２の吸込具２０を第３の吸込具３０に接続することができるため、第２の吸込具２０を第３の吸込具３０に簡単な構成で確実に保持させることができる。
【００６９】
また、第１の操作部４２は、第１の吸込具１０と第２の吸込具２０との嵌合を解除するとともに、第１の吸込具１０を上方へ押し上げるため、第１の吸込具１０と第２の吸込具２０との係合を確実に解除することができるため、第１の吸込具１０と第２の吸込具２０とが係合されたままの状態で、第１の吸込具１０が第２の吸込具２０から無理矢理に取り外され、第１の吸込具１０、第２の吸込具２０、及び第１の操作部４２が破損することを十分に防止することができ、安全性を向上させることができる。
【００７０】
さらに、第２の操作部４８は、第２の吸込具２０と第３の吸込具３０との嵌合を解除するとともに、第２の吸込具２０を上方へ押し上げるため、第２の吸込具２０と第３の吸込具３０との係合を確実に解除することができるため、第２の吸込具２０と第３の吸込具３０とが係合されたままの状態で、第２の吸込具２０が第３の吸込具３０から無理矢理に取り外され、第２の吸込具２０、第３の吸込具３０、及び第２の操作部４８が破損することを十分に防止することができ、安全性を向上させることができる。
【００７１】
（実施の形態２）
本発明の電気掃除機用吸込具の実施の形態２について、図１６を用いて説明する。なお、実施の形態１と同一部分については同一符号を付してその説明を省略する。
【００７２】
図１６は、本発明の電気掃除機用吸込具の実施の形態２を示す部分断面図である。
【００７３】
図１６に示すように、第１の吸込具１０には、第１の係合部である第１の爪部２５が設
けられている。また、第２の吸込具２０の第１の爪部２５に対応する位置には、第１の被係合部である第２の凹部１８が設けられている。さらに、第１の操作部４２に設けられた解除部４４は、第２の操作部４８側に延設されており、この解除部４４によって第１の吸込具１０と第２の吸込具２０との係合が解除されるように構成されている。
【００７４】
以上のように構成された電気掃除機用吸込具について、以下、その動作、作用を説明する。
【００７５】
使用者が第１の吸込具１０を使用して被清掃面の塵埃を掃除する場合、使用者は第１の操作部４２の第１の押圧部４３を下方へと押し下げることで、第３の吸込具３０に第１の吸込具１０及び第２の吸込具２０が接続された状態から第１の吸込具１０のみを取り外すことができる。第１の押圧部４３及び解除部４４は、第１の腕部４５によって連結されているため、第１の操作部４２の第１の押圧部４３が下方へと押し下げられると、第１の腕部４５が第１の軸支部４６を中心に回動し、解除部４４が上方へと押し上げられる。上方へと押し上げられた解除部４４は、第１の爪部２５の下方に設けられた当接部２７に当接し、第１の吸込具１０を第１の吸込具１０の内側へと湾曲させることで、第１の爪部２５と第２の凹部１８との嵌合を解除するとともに、第１の吸込具１０を上方へと押し上げる。これにより、第３の吸込具３０に第１の吸込具１０及び第２の吸込具２０が取り付けられた状態から第１の吸込具１０のみを取り外すことができる。
【００７６】
以上のように、本実施の形態においては、使用者が第１の吸込具１０を使用して被清掃面の塵埃を掃除する場合には、第１の操作部４２を操作するだけで、第１の吸込具１０に設けられた第２の凹部１８と第２の吸込具２０に設けられた第１の爪部２５との嵌合を容易に解除することができる。また、使用者が第２の吸込具２０を使用して被清掃面の塵埃を掃除する場合には、上述した実施の形態１と同様に、第２の操作部４８を操作するだけで、第２の吸込具２０に設けられた第１の嵌合口部２８と第２の操作部４８に設けられた第２の爪部５３との嵌合を容易に解除することができる。そのため、第１の吸込具１０、第２の吸込具２０、及び第３の吸込具３０の切り替えを用意に行うことができ、使用者の使い勝手を向上させることができる。
【００７７】
以上、本発明の電気掃除機用吸込具の実施の形態１及び実施の形態２について説明したが、本発明の電気掃除機用吸込具は上述した実施の形態１に限定されるものではない。
【００７８】
例えば、図１７に示すように、第１の操作部４２の下面の外側の第１の端部５６及び第２の操作部４８の下面の外側の第２の端部５７には、それぞれ軟質部材５８が設けられていてよい。これにより、第１の操作部４２及び第２の操作部４８が押し下げられ、第１の操作部４２の下面の外側の第１の端部５６及び第２の操作部４８の下面の外側の第２の端部５７が被清掃面に接触した場合であっても、第１の操作部４２の下面の外側の第１の端部５６及び第２の操作部４８の下面の外側の第２の端部５７にはそれぞれ軟質部材５８が設けられているため、第１の操作部４２の下面の外側の第１の端部５６及び第２の操作部４８の下面の外側の第２の端部５７によって被清掃面が傷つくことを十分に防止することができる。また、使用者が第１の操作部４２及び第２の操作部４８を操作している際に、第３の吸込具３０が移動することを防止することができるため、使用者が第１の操作部４２及び第２の操作部４８を安定して操作することができ、使用者の使い勝手を向上させることができる。
【００７９】
また、図１８に示すように、第１の吸込具１０と第２の吸込具２０との間には、耐摩耗性の高い軟質材料から構成された第１のシール部材５９が設けられていてもよい。この第１のシール部材５９は、第１の吸込具１０に設けられた第１の吸入口１０ａの周囲に設けられていてもよく、また、第２の吸込具２０の第１の吸入口１０ａと当接する部分に設け
られていてもよい。これにより、第１の吸込具１０が第２の吸込具２０に取り付けられた状態で、第１の吸込具１０と第２の吸込具２０との間から空気が漏れることをさらに効率よく防止することができ、電気掃除機１００の吸い込み力を向上させることができる。また、第１の吸込具１０に第１のシール部材５９が設けられている構成おいては、使用者が第１の吸込具１０のみを使用して被清掃面の塵埃を掃除した際に、第１の吸入口１０ａの被清掃面側の端部が被清掃面と接触し、被清掃面を傷つけることを防止することができる。
【００８０】
さらに、図１８に示すように、第２の吸込具２０と第３の吸込具３０との間には、耐摩耗性の高い軟質材料から構成された第２のシール部材６０が設けられていてもよい。この第２のシール部材６０は、第２の吸込具２０に設けられた第２の吸入口２０ａの周囲に設けられていてもよく、また、第３の吸込具３０の第２の吸入口２０ａと当接する部分に設けられていてもよい。これにより、第２の吸込具２０が第３の吸込具３０に取り付けられた状態で、第２の吸込具２０と第３の吸込具３０との間から空気が漏れることをさらに効率よく防止することができ、電気掃除機１００の吸い込み力を向上させることができる。また、第２の吸込具２０に第２のシール部材６０が設けられている構成おいては、使用者が第２の吸込具２０を使用して被清掃面の塵埃を掃除した際に、第２の吸入口２０ａの被清掃面側の端部が被清掃面と接触し、被清掃面を傷つけることを防止することができる。
【産業上の利用可能性】
【００８１】
本発明の電気掃除機用吸込具及びそれを用いた電気掃除機は、第１の吸込具、第２の吸込具、及び第３の吸込具の切り替えを用意に行うことができ、使用者の使い勝手を向上させることが可能となるので、電気掃除機用吸込具を用いる家庭用電気掃除機及び産業用電気掃除機の分野・用途に好適に適用することができる。
【符号の説明】
【００８２】
１  掃除機本体
１ａ  吸気口
２  電気掃除機用吸込具
３  延長管
４  ホース
５  手元保持部
６  接続パイプ
７  車輪
８  キャスター
１０  第１の吸込具
１０ａ  第１の吸入口
１１  吸引部
１２  接続部
１３  連結部
１４  第１の補強リブ
１５  第１の回動規制部
１６  第２の回動規制部
１７  第１の凹部
１８  第２の凹部
２０  第２の吸込具
２０ａ  第２の吸入口
２１  第３の凹部
２２  第２の補強リブ
２３  第１のブラシ部
２４  第１の突起部
２５  第１の爪部
２６  スリット
２７  当接部
２８  第１の嵌合口部
２９  第２の突起部
３０  第３の吸込具
３０ａ  第３の吸入口
３１  上部材
３２  下部材
３３  ローラー
３４  第２のブラシ部
３５  リップ部
３６  操作レバー
３７  第４の凹部
３８  第５の凹部
３９  第２の嵌合口部
４０  第１のリブ
４１  第２のリブ
４２  第１の操作部
４３  第１の押圧部
４４  解除部
４５  第１の腕部
４６  第１の軸支部
４７  第１のバネ
４８  第２の操作部
４９  第２の押圧部
５０  押上部
５１  第２の腕部
５２  延設部
５３  第２の爪部
５４  第２の軸支部
５５  第２のバネ
５６  第１の端部
５７  第２の端部
５８  軟質部材
５９  第１のシール部材
６０  第２のシール部材
【図１】
0005849236.tif 000002
【図２】
0005849236.tif 000003
【図３】
0005849236.tif 000004
【図４】
0005849236.tif 000005
【図５】
0005849236.tif 000006
【図６】
0005849236.tif 000007
【図７】
0005849236.tif 000008
【図８】
0005849236.tif 000009
【図９】
0005849236.tif 000010
【図１０】
0005849236.tif 000011
【図１１】
0005849236.tif 000012
【図１２】
0005849236.tif 000013
【図１３】
0005849236.tif 000014
【図１４】
0005849236.tif 000015
【図１５】
0005849236.tif 000016
【図１６】
0005849236.tif 000017
【図１７】
0005849236.tif 000018
【図１８】
0005849236.tif 000019
【図１９】
0005849236.tif 000020